(57)【特許請求の範囲】
【請求項１】
建物の外壁内に設けられて室内側と室外側を連通するダクト内に嵌挿される本体筒部と、前記本体筒部の室外側端部に支持部材を介して室外に設けられる遮蔽部とを備えた換気用ベントキャップであって、前記本体筒部の室外側開口部から室外側に突出させたひさしが設けられ、前記ひさしは、前記室外側開口部の周縁において、排気風を抑制する位置を選択自在として設けられるものであって、前記ひさしは、ひさし板が複数枚重ねて設けられ、上側の前記ひさし板が下側の前記ひさし板上をスライドさせるように移動させ、前記ひさし板のその重なり量を増減して前記室外側開口部の前記周縁方向に必要な方向に必要な長さに伸縮自在としたことを特徴とする換気用ベントキャップ。
【請求項２】
ひさしの室外側開口部の周縁方向両端部に折曲形成した取っ手を有している請求項１記載の換気用ベントキャップ。
【請求項３】
本体筒部の室外側開口部の周縁にぎざぎざ状の凹凸溝を設け、ひさしの前記本体筒部側端部に移動しながら前記凹凸溝の凹溝に係合する凸部を設けた請求項１または２記載の換気用ベントキャップ。
【請求項４】
ひさしの伸縮する長さに対応する風量の関係を示す風量目盛りを本体筒部の室外側開口部の周縁につけた請求項１記載の換気用ベントキャップ。
【請求項５】
遮蔽部は外周縁から中心に向かうにしたがって室内側に厚みが増加する突形状部を有している請求項１〜４のいずれかに記載の換気用ベントキャップ。
【発明の詳細な説明】
【技術分野】
【０００１】
本発明は、住宅等の室内空気を室外に換気するときに、建物の外壁部分に設置される換気用ベントキャップに関する。
【背景技術】
【０００２】
従来、この種の換気用ベントキャップとして、室外側に風雨の吹き込みを防止する遮蔽板を設けた換気用ベントキャップが知られている（例えば、特許文献１参照）。
【０００３】
以下、その換気用ベントキャップについて図１３を参照しながら説明する。
【０００４】
図に示すように、建物の壁１０１に設けられた通風口に装着され、室内１０２と室外１０３を連通する開口を有するダクト接続部１０４と、このダクト接続部１０４の室外１０３側に取り付けられる取付部１０５に前記ダクト接続部１０４の開口に連通する開口を有し、この取付部１０５の開口の周辺に複数の支脚１０６を設けた本体１０７と、この本体１０７の支脚１０６に取り付けられた風雨侵入防止の防風板１０８とで構成され、壁１０１に取り付けられたとき、前記本体１０７の上方部となる箇所に整流手段１０９を設けている換気用ベントキャップ１１０の構成となっている。
【特許文献１】特開平１１−１３２５１３号公報（００８段落、図８）
【発明の開示】
【発明が解決しようとする課題】
【０００５】
このような従来の換気用ベントキャップ１１０において、特許文献１に記載された換気用ベントキャップ１１０では、換気をすると、取付部１０５の開口から排出される排気流は開口の正面にある防風板１０８に当り、防風板１０８と本体１０７の間から上下左右に排出される。本体１０７の上部へ流れる排気流は上方に整流手段１０９が設けられているため、排気流は整流手段１０９の先端で絞られるとともに整流手段１０９の上面付近の空間部１１１が負圧になって、排気流はこの空間部１１１に巻き込まれて上方への吹出しが弱くなって流れ、軒天井１１２に届かず、軒天井１１２を汚すのをいくらかは低減できる。しかし、防風板１０８の上方部において、軒天井１１２に対し垂直に向かう風が発生しているため、換気用ベントキャップ１１０が軒天井１１２の近くに設置されたときは、防風板１０８に当たり軒天井１１２に垂直に向かう排気流によって軒天井１１２が汚れてしまう。
【０００６】
また、整流手段１０９が防風板１０８の外周より内側に位置しているため、空間部１１１に風が巻き込まれる現象が発生し、排気流は壁１０１に向かっても流れ、換気用ベントキャップ１１０の上方の壁面１０１ａが汚れてしまうという課題があった。
【０００７】
そして、換気用ベントキャップ１１０がマンション等のベランダ側に設置される場合には、その設置位置は軒天井１１２近傍に設置されることや、隣との仕切壁（図示せず）の近傍に設置されることがある。この場合には、換気用ベントキャップ１１０から排出される空気が軒天井１１２や、仕切壁に垂直に向かう風であるため、室内換気をする際に、換気用ベントキャップ１１０から排出される排気流が汚れていると、軒天井１１２等の壁が汚れてしまうという事態が起こっていた。
【０００８】
本発明は、このような従来の課題を解決するものであり、換気用ベントキャップの設置壁の近傍に軒天井や仕切壁等がある場合、換気用ベントキャップから排出される空気によってその壁が汚れるのを防止することができる換気用ベントキャップを提供することを目的とする。
【課題を解決するための手段】
【０００９】
本発明の換気用ベントキャップは、上記目的を達成するために、建物の外壁内に設けられて室内側と室外側を連通するダクト内に嵌挿される本体筒部と、前記本体筒部の室外側端部に支持部材を介して室外に設けられる遮蔽部とを備えた換気用ベントキャップであって、前記本体筒部の室外側開口部から室外側に突出させたひさしが設けられ、前記ひさしは、前記室外側開口部の周縁において、排気風を抑制する位置を選択自在として設けられるものである。
【００１０】
また、他の手段は、ひさしは、室外側開口部の周縁方向に回動自在に設けられるものである。
【００１１】
また、他の手段は、ひさしは、ひさし板が複数枚重ねて設けられ、その重なり量を増減して室外側開口部の周縁方向に伸縮自在としたものである。
【００１２】
また、他の手段は、ひさしは蛇腹によって室外側開口部の周縁方向に伸縮自在に構成されたものである。
【００１３】
また、他の手段は、ひさしの室外側開口部の周縁方向両端部に折曲形成した取っ手を有しているものである。
【００１４】
また、他の手段は、本体筒部の室外開口部の周縁にぎざぎざ状の凹凸溝を設け、ひさしの前記本体筒部側端部に移動しながら前記凹凸溝の凹溝に係合する凸部を設けたものである。
【００１５】
また、他の手段は、ひさしの伸縮する長さに対応する風量の関係を示す風量目盛りを本体筒部の室外側開口部の周縁につけたものである。
【００１６】
また、他の手段は、遮蔽部は外周縁から中心に向かうにしたがって室内側に厚みが増加する突形状部を有しているものである。
【発明の効果】
【００１７】
本発明によれば、本体筒部の室外側開口部から室外側に突出させたひさしが、室外側開口部の周縁において、排気風を抑制する位置を選択自在として設けられることにより、換気用ベントキャップを設置した外壁の近傍に軒天井、仕切壁などがある場合は、現場で自由にひさしをその方向に選択して取り付け、軒天井、仕切壁等への排気風を抑制し、壁汚れを防止することができるという効果のある換気用ベントキャップを提供することができる。
【００１８】
そして、排気風を抑制する位置を選択自在とする手段として、本体筒部の室外側開口部の周縁方向に回動自在とした構成、または、複数枚のひさし板を重ね、その重なり量を増減して室外側開口部の周縁方向に伸縮自在とした構成、あるいは、蛇腹によって室外側開口部の周縁方向に伸縮自在とした構成を採用することによって、軒天井、仕切壁等への排気風の抑制を容易に達成できることとなる。
【００１９】
また、ひさしの室外開口部周縁方向両端部に折曲形成した取っ手を有していることにより、ひさしを、施工者だけでなく一般ユーザーでも回動して、軒天井、仕切壁等が汚れないようにする位置に簡単に変更できる。
【００２０】
また、本体筒部の室外側開口部の周縁にぎざぎざ状の凹凸溝を設け、ひさしの本体筒部側端部に移動しながら凹凸溝の凹溝に係合する凸部を設けたことにより、ひさしの適切な位置での保持を工具なしでできるので、施工業者だけでなく、一般ユーザーでも簡単に位置変更ができる。
【００２１】
また、ひさしの伸縮する長さに対応する風量の関係を示す風量目盛りを本体筒部の室外側開口部の周縁につけたことにより、風量がどのくらい増減するのかを認識しながら、軒天井、仕切壁等が汚れないようにひさしを伸縮することができる。
【００２２】
また、遮蔽部は外周縁から中心に向かうにしたがって室内側に厚みが増加する突形状部を有していることにより、換気用ベントキャップを設置した外壁も、排気流によって汚れるのを防止できる。
【発明を実施するための最良の形態】
【００２３】
本発明の換気用ベントキャップは、本体筒部の室外側端部に支持部材を介して室外に設けられる遮蔽部を備えた換気用ベントキャップであって、前記本体筒部の室外側開口部から室外側に突出させたひさしが設けられ、前記ひさしは、前記室外側開口部の周縁において、排気風を抑制する位置を選択自在として設けられるものであり、室内から換気によって排出される排気風は、本体筒部を通り、室外側開口部から排出されると、遮蔽部と本体筒部の室外側開口部との間から室外に排出されるが、近傍に軒天井、仕切壁等がある場合は、そちらに排気風が流れないように、ひさしをその方向に選択して設けることができることとなる。
【００２４】
また、ひさしは、室外側開口部の周縁方向に回動自在に設けられるものであり、排気風を抑制する位置を選択して容易に取り付けることができることとなる。
【００２５】
また、ひさしは、ひさし板が複数枚重ねて設けられ、その重なり量を増減して室外側開口部の周縁方向に伸縮自在としたものであり、ひさしによって軒天井、仕切壁等が汚れないようにするときは、ひさしの室外側開口部周縁方向長さを伸ばし、ひさしを必要としない場合は縮めることによって、ひさしの室外側開口部周縁方向長さを自由に設定できることとなる。
【００２６】
また、ひさしは蛇腹によって室外側開口部の周縁方向に伸縮自在に構成されたものであり、ひさしの室外側開口部周縁方向長さを簡単な構成で自由に設定できることとなる。
【００２７】
また、ひさしの室外側開口部の周縁方向両端部に折曲形成した取っ手を有しているものであり、ひさしを、取っ手に指をかけて簡単に移動できる。
【００２８】
また、本体筒部の室外側開口部の周縁にぎざぎざ状の凹凸溝を設け、ひさしの前記本体筒部側端部に移動しながら前記凹凸溝の凹溝に係合する凸部を設けたものであり、ひさしは、ひさしの凸部が本体筒部の凹凸溝の凹溝に移動しながら係合していき、適切な位置で凸部と凹溝の係合によって保持される。
【００２９】
また、ひさしの伸縮する長さに対応する風量の関係を示す風量目盛りを本体筒部の室外側開口部の周縁につけたものであり、ひさしの長さを伸縮して変えたときに、ひさしの伸縮位置における風量目盛位置を読むことで、風量の増減を読み取ることができる。
【００３０】
また、遮蔽部は外周縁から中心に向かうにしたがって室内側に厚みが増加する突形状部を有しているものであり、室内からの空気が汚れを含んだ排気流であっても、その排気流は遮蔽部の外周縁から離れる際には反外壁側に流れ外壁面に当たらないので、排気流によって外壁が汚れるのを防止できることとなる。
【００３１】
以下、本発明の実施の形態について、図面を参照しながら説明する。
【００３２】
（実施の形態１）
本発明の実施の形態１の換気用ベントキャップ１４は、図１〜図３に示すように、建物の外壁１内に設けられて室内２側と室外３側を連通するダクト４内に嵌挿される本体筒部５と、本体筒部５の室外側端部６に支持部材７を介して室外３に設けられる遮蔽部８とを備えた構成であって、本体筒部５の室外側開口部９から室外３側に突出させたひさし１０が設けられ、ひさし１０は、室外側開口部９の周縁１１に回動自在に設けられたものである。室外側開口部９の周縁１１には溝１２を有し、ひさし１０には凸形状のレール部１３が設けられており、ひさし１０のレール部１３が室外開口部９の周縁１１に有した溝１２に回動自在に係合され、ひさし１０は室外側開口部９の周縁１１上を任意に回動できる構成としている。
【００３３】
上記構成において、室内２から換気によって排出される排気風は、本体筒部５を通り、室外側開口部９から排出されると、遮蔽部８と本体筒部５の室外側開口部９との間から室外３に排出されるが、換気用ベントキャップ１４を設置する外壁１の近傍に軒天井１５がある場合には、ひさし１０を設ける位置を上に選択して、排気風を上方に流れないようにできる。換気用ベントキャップ１４の上部がひさし１０によって遮られているので、排気風は軒天井１５の方向には流れなくなり、排気風が汚れている場合でも、軒天井１５が汚れることがない。
【００３４】
また、換気用ベントキャップ１４を設置する外壁１の近傍に隣との仕切壁１６がある場合には、仕切壁１６のある方向にひさし１０の位置を選択して回動させ、排気風を仕切壁１６がある側に流れないようにできる。換気用ベントキャップ１４の仕切壁１６がある側はひさし１０によって遮られているので、排気風は仕切壁１６の方向には流れなくなり、汚れた空気が仕切壁１６に当たることがないため、仕切壁１６が汚れるのを防止できる。
【００３５】
このように、換気用ベントキャップ１４を設置する外壁１には、その上方に軒天井１５がある、あるいは、側方に仕切壁１６がある場合があり、換気用ベントキャップ１４の設置場所、たとえば、軒天井１５の近傍に設置する、あるいは、仕切壁１６の近傍に設置する等、施工者が商品をメーカーに注文した後に設置場所変更することもあるが、本実施の形態１の換気用ベントキャップ１４によれば、施工者がひさし１０の位置を施工現場で任意に選択できることとなる。また、施工者が商品を発注する際に、設置場所にとらわれず１タイプの商品を注文すれば、どんな位置に換気用ベントキャップを設置しても汚れ防止に対応できる商品となるので、商品の選定や商品の発注業務に苦労をしなくてもすむ。また商品メーカーはひさし１０が回動自在となっているので、たとえば、換気用ベントキャップ１４のひさし１０の位置が上、左、右に固定された換気用ベントキャップ（換気用ベントキャップひさし上配置機種、換気用ベントキャップひさし左配置機種、換気用ベントキャップひさし右配置機種）のように複数の機種の在庫品を持たなくてもすむので、在庫管理好適である。
【００３６】
（実施の形態２）
図４〜図６に示すように、本発明の実施の形態２の換気用ベントキャップ１４Ａは、上記実施の形態１の換気用ベントキャップ１４に対し、複数枚のひさし板１０ａが重ねて設けられ、その重なり量を増減して本体筒部５の室外側開口部９の周縁１１方向に伸縮自在に構成した点に特徴がある。
【００３７】
この構成を詳述すると、室外側開口部９の周縁１１には溝１２を有し、ひさし板１０ａには凸形状のレール部１３Ａが設けられており、レール部１３Ａが溝１２に回動自在に係合され、ひさし板１０ａは室外側開口部９の周縁１１上を任意に回動できる構成としている。さらに、ひさし板１０ａの表面側には溝１７を有している。溝１７の形状は室外側開口部９の周縁１１に設けられた溝１２と同じ形状でもよい。ひさし板１０ａの溝１７に、隣接するひさし板１０ａに設けたレール部１３Ａが回動自在に係合した構成としている。
【００３８】
上記構成において、換気用ベントキャップ１４Ａが設置される場所が軒天井１５および仕切壁１６の両近傍である場合には、施工者は換気用ベントキャップ１４Ａから排出される汚れた排気風が軒天井１５および仕切壁１６側に流れないように、その方向にひさし板１０ａを移動させるとともに、重なり合った複数枚のひさし板１０ａのうち、上側のひさし板１０ａが下側のひさし板１０ａ上をスライドさせるように移動させ、ひさし板１０ａの重なり量を増減することによって、ひさし１０Ａを、必要な方向に、必要な長さに伸ばして設けることができる。
【００３９】
また、ひさし１０Ａを必要としない場合は、複数枚のひさし板１０ａを最小長に重ねることで、風量の低下を抑えることができる。
【００４０】
また、ひさし１０Ａは、１枚のひさし板１０ａの周長さを短くすることで、ひさし１０Ａを必要としない場合に、ひさし板１０ａを重ねて、ひさし１０Ａで覆われる長さを小さくし、換気用ベントキャップ１４Ａの風量の低下を、さらに小さくすることができる。
【００４１】
（実施の形態３）
図７に示すように、本発明の実施の形態３の換気用ベントキャップ１４Ｂは、ひさし１０Ｂが蛇腹１８によって本体筒部５の室外側開口部９の周縁１１方向に伸縮自在に構成されたものである。
【００４２】
上記構成において、換気用ベントキャップ１４Ｂの近傍に軒天井や仕切壁があり、ひさし１０Ｂを必要とする場合には、蛇腹１８を室外側開口部９の周縁１１方向に伸ばし、必要な方向および長さにすることで換気用ベントキャップ１４Ｂから排出される汚れた排気風が軒天井および仕切壁の方向に流れるのを防ぎ、軒天井および仕切壁が汚れるのを防止できる。また、ひさし１０Ｂを必要としない場合には、蛇腹１８を縮めることで換気用ベントキャップ１４Ｂの風量の低下を小さくすることができる。
【００４３】
このように、ひさし１０Ｂを必要とする場合と、必要としない場合の両方に対して、蛇腹１８のみの簡単な構成の部材で適切に対応できる。
【００４４】
（実施の形態４）
図８に示すように、本発明の実施の形態４の換気用ベントキャップ１４Ｃは、図１〜図３に示す上記実施の形態１の換気用ベントキャップ１４に対し、ひさし１０Ｃの回動方向両端部１９に折曲形成した取っ手２０を設けた点に特徴がある。
【００４５】
上記構成の換気用ベントキャップ１４Ｃは、ひさし１０Ｃを回動させる際には、施工者は取っ手２０に指をかけて簡単に回動できる。また、取っ手２０によってひさし１０Ｃが少ない力で動かしやすいものとなっているので、一般ユーザーでもひさし１０Ｃを回動して、軒天井、仕切壁等が汚れないようにする位置を選択し簡単に変更できることとなる。
【００４６】
なお、取っ手２０は、本実施の形態４では回動するひさしに設けたが、複数枚のひさし板を重ねたひさし、あるいは、蛇腹からなるひさしの室外側開口部周縁方向両端部に設けても、同様の作用効果を奏する。
【００４７】
（実施の形態５）
図９および図１０に示すように、本発明の実施の形態５の換気用ベントキャップ１４Ｄは、図１〜図３に示す上記実施の形態１の換気用ベントキャップ１４に対し、本体筒部５の室外側開口部９の周縁１１にぎざぎざ状の凹凸溝２１を設け、ひさし１０Ｄの本体筒部側端部２２には、室外側開口部９の周縁１１の凹凸溝２１の凹溝２１ａに係合する凸部２３を設けた点を特徴としている。
【００４８】
上記構成において、ひさし１０Ｄを任意に回動させる際には、ひさし１０Ｄの凸部２３は凹凸溝２１に沿って回動移動するが、ひさし１０Ｄが所定の位置にくると、その凸部２３がその位置の凹凸溝２１の凹溝２１ａに係合し、係合によってひさし１０Ｄの位置が保持される。換気用ベントキャップ１４Ｄの設置場所の近傍に軒天井、仕切壁がある場合に、ひさし１０Ｄを仕切壁側等に移動させた際、ひさし１０Ｄは係合によって位置が保持されているので、施工後に換気用ベントキャップ１４Ｄに外風が強く当たっても、ひさし１０Ｄが簡単に動いてしまうのを防止できる。
【００４９】
（実施の形態６）
図１１に示すように、本発明の実施の形態６の換気用ベントキャップ１４Ｅは、蛇腹１８からなるひさし１０Ｂの伸縮する長さに対応する風量の関係を示す風量目盛り２４を本体筒部５の室外側開口部９の周縁１１につけた構成としている。
【００５０】
上記構成において、ひさし１０Ｂを伸ばした場合、ひさし１０Ｂの端部２５が位置する箇所に記された周縁１１上の風量目盛り２４を読むことで、風量がどのくらい減るのかを認識できるので、ひさし１０Ｂを伸ばすことによって生じた風量減少量から、換気扇側の風量調節装置（図示せず）でどのくらい風量アップするかを決めることができ、換気扇の風量調節装置で所定の風量に調整することができる。
【００５１】
このように、換気用ベントキャップ１４Ｅの設置される外壁の近傍に軒天井、仕切壁等がある場合、施工現場で軒天井、仕切壁等が汚れないようにひさし１０Ｂを伸縮しても、ひさし１０Ｂの伸縮による風量減少量が施工者でも容易に認識できるので、その後、換気扇設置時に換気扇側の風量調節機能で、換気風量設計値どおりの風量となるように現場で調整ができる。
【００５２】
なお、本実施の形態６では、蛇腹１８からなるひさし１０Ｂに対して風量目盛り２４をつけたが、複数枚のひさし板１０ａを重ねたひさし１０Ａに対して風量目盛り２４をつけても、同様の作用効果を奏する。
【００５３】
（実施の形態７）
図１２に示すように、本発明の実施の形態７の換気用ベントキャップ１４Ｆは、遮蔽部８Ａが外周縁２６から中心に向かうにしたがって室内２側に厚みが増加する突形状部２７を有している点に特徴がある。
【００５４】
上記構成において、換気をすると、室内２の汚れた排気風は本体筒部５を通り、遮蔽部８Ａに到達し、突形状部２７の面に沿って外周方向にガイドされ、排気風が遮蔽部８Ａの外周縁２６から離れる際には、外周縁２６の角度成分を維持したまま、外壁面１ａから離れる方向に向かって流れる。このため、排気風が汚れを含んでいても、遮蔽部８Ａの外周縁２６から離れる際には反外壁１側に流れ、排気風が外壁面１ａに当たらないので、排気風によって外壁面１ａが汚れるのを防止できることとなる。
【産業上の利用可能性】
【００５５】
本発明にかかる換気用ベントキャップは、現場で自由にひさしの位置を選択して移動することにより、軒天井、仕切壁等への排気風を抑制し壁汚れを防止することができるので、建物の外壁に装着される換気用ベントキャップとして有用である。
【図面の簡単な説明】
【００５６】
【図１】本発明の実施の形態１の換気用ベントキャップの設置状態を示す断面図
【図２】同換気用ベントキャップの構成を示す斜視図
【図３】同換気用ベントキャップの設置場所を示す正面図
【図４】本発明の実施の形態２の換気用ベントキャップの設置状態を示す断面図
【図５】同換気用ベントキャップの構成を示す斜視図
【図６】同換気用ベントキャップの設置場所を示す正面図
【図７】本発明の実施の形態３の換気用ベントキャップの構成を示す斜視図
【図８】本発明の実施の形態４の換気用ベントキャップの構成を示す斜視図
【図９】本発明の実施の形態５の換気用ベントキャップの構成を示す斜視図
【図１０】同換気用ベントキャップのひさしの構成を示す斜視図
【図１１】本発明の実施の形態６の換気用ベントキャップの構成を示す斜視図
【図１２】本発明の実施の形態７の換気用ベントキャップの設置状態を示す断面図
【図１３】従来の換気用ベントキャップの設置状態を示す断面図
【符号の説明】
【００５７】
１      外壁
２      室内
３      室外
４      ダクト
５      本体筒部
６      室外側端部
７      支持部材
８      遮蔽部
８Ａ    遮蔽部
９      室外側開口部
１０    ひさし
１０Ａ  ひさし
１０Ｂ  ひさし
１０Ｃ  ひさし
１０Ｄ  ひさし
１０ａ  ひさし板
１１    周縁
１４    換気用ベントキャップ
１８    蛇腹
１９    回動方向両端部
２０    取っ手
２１    凹凸溝
２１ａ  凹溝
２２    本体筒部側端部
２３    凸部
２４    風量目盛り
２６    外周縁
２７    突形状部
【図１】
0005130966.tif 000002
【図２】
0005130966.tif 000003
【図３】
0005130966.tif 000004
【図４】
0005130966.tif 000005
【図５】
0005130966.tif 000006
【図６】
0005130966.tif 000007
【図７】
0005130966.tif 000008
【図８】
0005130966.tif 000009
【図９】
0005130966.tif 000010
【図１０】
0005130966.tif 000011
【図１１】
0005130966.tif 000012
【図１２】
0005130966.tif 000013
【図１３】
0005130966.tif 000014